(57)【要約】【課題】  レコーダ本体内に監視用カメラの電源部を設けることで、省スペース化、低コスト化を図った監視カメラシステムを提供すること。【解決手段】  レコーダ本体１内にカメラ用電源部２を設け、このカメラ用電源部２と電源端子５との間を電源線６にて接続する。電源端子５には各監視用カメラ３１の数に対応した電極端子が設けてある。この電源端子５と各監視用カメラ３１とは電源用ケーブル２６にてそれぞれする。また、各監視用カメラ３１からの信号用ケーブル２７はレコーダ本体１のコネクタ１３に接続する。【選択図】        図１
2006229806.tif 000002
【特許請求の範囲】
【請求項１】
監視用カメラ（３１）と、この監視用カメラ（３１）からの映像信号などの信号をケーブルを介して受信し該受信した映像などを記録するレコーダ本体（１）とを備え、
前記レコーダ本体（１）内に前記監視用カメラ（３１）に電源を供給するための電源供給手段を設けていることを特徴とする監視カメラシステム。
【請求項２】
前記電源供給手段は、
前記レコーダ本体（１）の内部回路用の本体用電源部（３）とは別個に設けたカメラ用電源部（２）であることを特徴とする請求項１に記載の監視カメラシステム。
【請求項３】
前記電源供給手段は、
前記レコーダ本体（１）の内部回路用の電源供給を兼ねた電源部（７）であることを特徴とする請求項１に記載の監視カメラシステム。
【請求項４】
レコーダ本体（１）の前パネル（１０）または背面パネル（１２）には監視用カメラ（３１）からの信号用ケーブル（２７）が接続されるコネクタ（１３）が設けられており、
前記監視用カメラ（３１）からの電源用ケーブル（２６）が接続され、前記カメラ用電源部（２）または電源部（７）からの電源が供給される電源端子（５）を前記前パネル（１０）または背面パネル（１２）に設けていることを特徴とする請求項２または請求項３に記載の監視カメラシステム。
【請求項５】
監視用カメラ（３１）と、この監視用カメラ（３１）にて撮像した映像を記録するレコーダ本体（１）とを備え、前記監視用カメラ（３１）の電源は芯線で供給し映像信号などの信号は前記芯線に重畳させる同軸ケーブル（３５）にて前記監視用カメラ（３１）とレコーダ本体（１）とが接続され、
前記同軸ケーブル（３５）に映像信号などの信号を重畳させる多重器（２４）を前記レコーダ本体（１）内に設けたことを特徴とする監視カメラシステム。
【請求項６】
一方が前記多重器（２４）と接続され、他方が監視用カメラ（３１）からの同軸ケーブル（３５）と接続される同軸コネクタ（３６）をレコーダ本体（１）に設けていることを特徴とする請求項５に記載の監視カメラシステム。
【発明の詳細な説明】
【技術分野】
【０００１】
本発明は、監視用カメラと、この監視用カメラとは離れた場所に設置され該監視用カメラからの映像を記録するレコーダとからなる監視カメラシステムに関するものである。
【背景技術】
【０００２】
近年、防犯の目的から店舗、銀行などの金融機関、街頭などに監視用カメラを設置することが急速に普及してきている。特に、複数の監視用カメラを設置しており、これら複数の監視用カメラからの映像信号、音声信号を録画、録音するレコーダは１台となっている。
そして、事務室などに設置されている１台のレコーダと、このレコーダとは離れて設置されている複数の監視用カメラとは、ケーブルなどの有線で接続されている。
【０００３】
図８は、従来の監視カメラシステムの概略ブロック図を示しており、事務室などにはレコーダ本体６１が設置されており、このレコーダ本体６１とは離れて設置されている複数の、例えば４台の監視用カメラ７１とは、該監視用カメラ７１からの映像信号をレコーダ本体６１へ伝送するための信号用ケーブル６３が該レコーダ本体６１との間に配線接続されている。
つまり、レコーダ本体６１から監視用カメラ７１へそれぞれ信号用ケーブル６３を接続するようになっており、監視用カメラ７１の設置数に応じてその分信号用ケーブル６３を配線接続している。
【０００４】
また、上記監視用カメラ７１には電源が必要であり、この監視用カメラ７１へ電源を供給するための電源用ケーブル６４を従来ではレコーダ本体６１とは別個に設置しているカメラ用電源部６２との間に配線接続していた。
なお、このカメラ用電源部６２はレコーダ本体６１とは別に準備する必要があり、共に交流電源（ＡＣ１００Ｖ）を電源としている。
【０００５】
このように従来では、信号用ケーブル６３はレコーダ本体６１と各監視用カメラ７１との間にそれぞれ配線接続し、電源用ケーブル６４は、レコーダ本体６１とは別個に設けたカメラ用電源部６２と各監視用カメラ７１との間にそれぞれ配線接続していた。
上記監視用カメラ７１に電源を供給するためにカメラ用電源部６２をレコーダ本体６１とは別個に設けているために、全体のコストが高くなると同時に、カメラ用電源部６２を設置するスペースがレコーダ本体６１の設置スペースとは別途必要となるという問題があった。
【０００６】
また、図９は、芯線は電源用とし、信号は前記芯線に重畳させる多重伝送方式とした同軸ケーブル６６を用いた監視カメラシステムの概略ブロック図を示している。かかる場合においては、レコーダ本体６１と別個に映像などの信号を同軸ケーブル６６の芯線（電源線）に重畳させるための多重器６７が必要となる。
この多重器６７はもともと交流電源（ＡＣ１００Ｖ）が必要であり、したがって、同軸ケーブル６６を用いている場合でも、レコーダ本体６１とは別個に多重器６７を準備する必要があるため、その分設置スペースが必要となり、コストも高くなるという問題があった。
【発明の開示】
【発明が解決しようとする課題】
【０００７】
本発明は上述の問題点に鑑みて提供したものであって、少なくとも以下の目的を持った監視カメラシステムを提供するものである。
（１）設置スペースの面積を小さくして省スペース化を図ること。
（２）コストを安価にすること。
（３）配線接続の作業効率を向上させること。
【課題を解決するための手段】
【０００８】
そこで、本発明の請求項１に記載の監視カメラシステムでは、監視用カメラ３１と、この監視用カメラ３１からの映像信号などの信号をケーブルを介して受信し該受信した映像などを記録するレコーダ本体１とを備え、
前記レコーダ本体１内に前記監視用カメラ３１に電源を供給するための電源供給手段を設けていることを特徴としている。
【０００９】
請求項２に記載の監視カメラシステムでは、前記電源供給手段は、
前記レコーダ本体１の内部回路用の本体用電源部３とは別個に設けたカメラ用電源部２であることを特徴としている。
【００１０】
請求項３に記載の監視カメラシステムでは、前記電源供給手段は、
前記レコーダ本体１の内部回路用の電源供給を兼ねた電源部７であることを特徴としている。
【００１１】
請求項４に記載の監視カメラシステムでは、レコーダ本体１の前パネル１０または背面パネル１２には監視用カメラ３１からの信号用ケーブル２７が接続されるコネクタ１３が設けられており、
前記監視用カメラ３１からの電源用ケーブル２６が接続され、前記カメラ用電源部２または電源部７からの電源が供給される電源端子５を前記前パネル１０または背面パネル１２に設けていることを特徴としている。
【００１２】
請求項５に記載の監視カメラシステムでは、監視用カメラ３１と、この監視用カメラ３１にて撮像した映像を記録するレコーダ本体１とを備え、前記監視用カメラ３１の電源は芯線で供給し映像信号などの信号は前記芯線に重畳させる同軸ケーブル３５にて前記監視用カメラ３１とレコーダ本体１とが接続され、
前記同軸ケーブル３５に映像信号などの信号を重畳させる多重器２４を前記レコーダ本体１内に設けたことを特徴としている。
【００１３】
請求項６に記載の監視カメラシステムでは、一方が前記多重器２４と接続され、他方が監視用カメラ３１からの同軸ケーブル３５と接続される同軸コネクタ３６をレコーダ本体１に設けていることを特徴としている。
【発明の効果】
【００１４】
本発明の請求項１に記載の監視カメラシステムによれば、前記レコーダ本体１内に前記監視用カメラ３１に電源を供給するための電源供給手段を設けているので、レコーダ本体１とは別個にカメラ用電源部を設けていた従来と比べて、設置スペースがレコーダ本体１のみで良く、そのため、設置スペースを小さくでき、省スペース化を図ることができる。また、レコーダ本体１とは別個にカメラ用電源部を設ける必要がないので、その分コストを安価にすることができる。
【００１５】
請求項２に記載の監視カメラシステムによれば、前記電源供給手段は、前記レコーダ本体１の内部回路用の本体用電源部３とは別個に設けたカメラ用電源部２としているので、請求項１の効果に加えて、レコーダ本体１の内部回路用の電源電圧と監視用カメラ３１用の電源電圧の電圧値が異なる場合には、監視用カメラ３１の電源として迅速に対応することができる。
【００１６】
請求項３に記載の監視カメラシステムによれば、前記電源供給手段は、前記レコーダ本体１の内部回路用の電源供給を兼ねた電源部７としているので、請求項１の効果に加えて、レコーダ本体１の内部回路用の電源電圧と監視用カメラ３１用の電源電圧の電圧値が同一の場合には、電源部分の回路を共通化できて、電源回路の部品点数を少なくでき、電源回路（電源部７）を安価にすることができる。
【００１７】
請求項４に記載の監視カメラシステムによれば、レコーダ本体１の前パネル１０または背面パネル１２には監視用カメラ３１からの信号用ケーブル２７が接続されるコネクタ１３が設けられており、前記監視用カメラ３１からの電源用ケーブル２６が接続され、前記カメラ用電源部２または電源部７からの電源が供給される電源端子５を前記前パネル１０または背面パネル１２に設けているので、レコーダ本体１への監視用カメラ３１からの信号用ケーブル２７を接続する作業において、監視用カメラ３１への電源用ケーブル２６との接続も同じレコーダ本体１の電源端子５へ接続すれば良く、そのため、監視カメラシステム全体のケーブルの接続の作業効率を向上させることができる。
【００１８】
請求項５に記載の監視カメラシステムによれば、監視用カメラ３１と、この監視用カメラ３１にて撮像した映像を記録するレコーダ本体１とを備え、前記監視用カメラ３１の電源は芯線で供給し映像信号などの信号は前記芯線に重畳させる同軸ケーブル３５にて前記監視用カメラ３１とレコーダ本体１とが接続され、
前記同軸ケーブル３５に映像信号などの信号を重畳させる多重器２４を前記レコーダ本体１内に設けているので、多重器をレコーダ本体１とは別個に設置していた従来とは異なり、設置スペースはレコーダ本体１のみで良く、そのため、設置スペースが小さくて良く、設置スペースの省スペース化を図ることができる。
【００１９】
請求項６に記載の監視カメラシステムによれば、一方が前記多重器２４と接続され、他方が監視用カメラ３１からの同軸ケーブル３５と接続される同軸コネクタ３６をレコーダ本体１に設けているので、各監視用カメラ３１とレコーダ本体１とは１チャンネルに対して１本の同軸ケーブル３５の接続作業で済むので、配線接続の作業効率を一層向上させることができる。
【発明を実施するための最良の形態】
【００２０】
以下、本発明の第１の実施の形態を図面を参照して詳細に説明する。図１は本発明の監視カメラシステムの概略ブロック図を示し、事務室などに設置されるレコーダ本体１内には監視用カメラ３１への電源供給用のカメラ用電源部２と、レコーダ本体１自体に電源を供給するための本体用電源部３を設けている。
レコーダ本体１内には、監視用カメラ３１からの映像信号、音声信号を録画・録音し、また、録画・録音した映像や音声を再生するために録画・再生部４が設けてある。
【００２１】
図２（ａ）は上記レコーダ本体１の平面図を示し、図２（ｂ）はレコーダ本体１の側面図を示している。また、図３はレコーダ本体１の正面図を、図４はレコーダ本体１の背面図をそれぞれ示している。図３に示すように、レコーダ本体１の前パネル１０の右方には、各監視用カメラ３１に対応した再生などの操作を行なう操作部１１が配置されている。
【００２２】
図１に示すように、レコーダ本体１内のカメラ用電源部２からの電源線６は、レコーダ本体１の背面パネル１２（図４参照）に設けた電源端子５に接続されている。この電源端子５は、図４に示すように、監視用カメラ３１の設置台数の４台に対応して正負電極端子が４組設けられている。
このレコーダ本体１側の電源端子５と監視用カメラ３１とは図１に示すように、電源用ケーブル２６にてそれぞれ配線接続されるようになっている。
【００２３】
また、図１及び図４に示すように、レコーダ本体１の背面パネル１２の左方には各監視用カメラ３１からの映像信号の信号用ケーブル２７のコネクタが接続されるコネクタ１３が４つ配置されている。これらのコネクタ１３を介して各監視用カメラ３１からの映像信号が録画・再生部４に入力されて、該録画・再生部４にて各監視用カメラ３１で撮像した映像が記録される。
【００２４】
ここで、本実施形態では、上記各監視用カメラ３１は映像のみを撮影しているものであり、音声は集音していない。撮影している箇所の音声を録音する場合には、監視用カメラ３１とは別個に近接してマイクロフォン３２を設置している。
そして、上記マイクロフォン３２からの音声用ケーブル３３の端部のコネクタがレコーダ本体１の背面パネル１２のコネクタ１４に接続されるようになっており、このコネクタ１４が音声入力用となっている。このコネクタ１４を介してマイクロフォン３２からの音声が録画・再生部４にて録音される。
【００２５】
なお、この実施形態では、音声入力用のコネクタ１４が１個だけとなっているが、各監視用カメラ３１にマイクロフォン３２を設けた場合には、マイクロフォン３２の数に対応して音声入力用のコネクタも設けることはもちろんである。
また、監視用カメラ３１自体にマイクロフォンを内蔵させて、各監視用カメラ３１にて録画と録音とを同時にそれぞれレコーダ本体１の録画・再生部４にて記録させるようにしても良い。
【００２６】
図４において、レコーダ本体１の背面パネル１２には、映像信号出力用のコネクタ１５と、音声信号出力用のコネクタ１６とが設けられており、また、背面パネル１２の右方の端部には電源スイッチ１７が設けられている。なお、符号２０は交流電源（ＡＣ１００Ｖ）に接続するための電源コードである。
図１に示すように、上記コネクタ１５、１６とモニタテレビとを接続することで、監視用カメラ３１にて録画・録音した映像、音声を再生することができるようになっている。
【００２７】
なお、上記の説明では、監視用カメラ３１を４台（所謂、４チャンネル）として、各監視用カメラ３１とレコーダ本体１側と接続する電源用ケーブル２６及び信号用ケーブル２７を４本ずつの場合について説明したが、設置される監視用カメラ３１の数に限定されるものではない。
例えば、監視用カメラ３１が１台であっても良く、また、２台以上であって、９台、あるいは１６台の場合でも良い。この場合、９本、あるいは１６本の電源用ケーブル２６及び信号用ケーブル２７にて各監視用カメラ３１とレコーダ本体１側とを配線接続することになる。また、設置される監視用カメラ３１の数は、もちろん１７台以上でも本発明に含まれる。
【００２８】
このように本実施形態では、監視用カメラ３１に供給するためのカメラ用電源部２をレコーダ本体１内に設けているので、レコーダ本体６１及びカメラ用電源部６２を２台設けていた従来例と比べて、設置台数がレコーダ本体１の１台のみで済み、そのため、設置スペースが小さくて済み、省スペース化を図ることができる。また、従来のように、レコーダ本体とは別個にカメラ用電源部６２を設ける必要がなく、カメラ用電源部２をレコーダ本体１内に設けていることで、コストを安価にすることができる。
【００２９】
さらに、カメラ用電源部２が供給され、監視用カメラ３１からの監視用カメラ３１と配線接続するための電源端子５をレコーダ本体１側に設けているので、レコーダ本体１への監視用カメラ３１からの信号用ケーブル２７を接続する作業において、監視用カメラ３１への電源用ケーブル２６との接続も同じレコーダ本体１の電源端子５へ接続すれば良く、そのため、監視カメラシステム全体のケーブルの接続の作業効率を向上させることができる。
【００３０】
なお、上記の説明では、信号用ケーブル２７が接続されるコネクタ１３と電源用ケーブル２６が接続される電源端子５を背面パネル１２に設けた場合について説明したが、これに限定されるものではない。例えば、前パネル１０にコネクタ１３及び電源端子５を設けても良く、また、前パネル１０及び背面パネル１２の両方にコネクタ１３と電源端子５を設けるようにしても良い。この場合、レコーダ本体１の設置箇所に応じて、レコーダ本体１の前面側から、あるいは背面側からのケーブル２６、２７の接続ができ、配線接続の作業性の向上を図ることができる。さらに、コネクタ１３と電源端子５とを分散して前パネル１０と背面パネル１２に設けるようにしても良い。
【００３１】
また、レコーダ本体１の内部回路用の本体用電源部３とはカメラ用電源部２を別個に設けているので、レコーダ本体１の内部回路用の電源電圧と監視用カメラ３１用の電源電圧の電圧値が異なる場合には、監視用カメラ３１の電源として迅速に対応することができる。
【００３２】
（第２の実施の形態）
第２の実施形態を図５に示す。先の実施形態では、監視用カメラ３１用のカメラ用電源部２と、レコーダ本体１内の録画・再生部４用の本体用電源部３とを個別に設けていたが、本実施形態では、監視用カメラ３１の電源とレコーダ本体１内の録画・再生部４用の電源の共通化を図ったものである。
すなわち、図５に示すように、交流電源を整流・平滑し、安定化した所定の直流電圧値を作成する電源部７を設け、この電源部７から電源端子５へ電源線６により電源を供給すると共に、録画・再生部４に電源を供給するようにしている。なお、他の構成は図１の場合と同様であるので説明は省略する。
【００３３】
本実施形態では、監視用カメラ３１用の電源とレコーダ本体１内の録画・再生部４用の電源を１つの電源部７にて共通化しているので、部品点数を少なくでき、電源回路部分を先の実施形態と比べて一層コストを安価にすることができる。
なお、図５に示す例は、監視用カメラ３１用の電源電圧と録画・再生部４用の電源電圧との直流電圧値が異なる場合であり、電圧値の異なる電源を電源部７から個別に供給するようにしている。
【００３４】
図６は、監視用カメラ３１用の電源電圧と録画・再生部４用の電源電圧の電圧値が同じ場合であり、この場合には、電源部７から共通の電源として監視用カメラ３１と録画・再生部４に供給することができる。
図６の場合は、図５の場合と比べて、電源部７の構成を一層簡素化でき、電源部７自体のコストを一層安価にすることができる。
【００３５】
（第３の実施の形態）
図７は１本の電源供給用の芯線に映像信号を重畳させるようにした同軸ケーブル３５にて監視用カメラ３１とレコーダ本体１とを配線接続するようにしたものであり、従来の図９に対応するものである。すなわち、レコーダ本体１内に図５または図６に示す電源部７と同様な電源部７を設けると共に、電源に映像信号などを重畳させる多重器２４を設けている。
【００３６】
多重器２４と録画・再生部４とは信号線用のシールド線２３を監視用カメラ３１の設置台数に応じて接続し、多重器２４内では電源部７からの電源線に監視用カメラ３１からの映像信号が重畳される。多重器２４と各同軸コネクタ３６とはシールド線２５によりそれぞれ接続されている。
これにより、各監視用カメラ３１の電源は同軸コネクタ３６を介して同軸ケーブル３５の芯線にて供給され、監視用カメラ３１からの映像信号は同軸ケーブル３５の芯線に重畳してレコーダ本体１側に伝送される。
【００３７】
図７に示す電源線に映像信号を重畳させる方式の同軸ケーブル３５を用いた場合では、先の実施形態とは異なり、各監視用カメラ３１とレコーダ本体１とは１チャンネルに対して１本の同軸ケーブル３５の接続作業で済むので、配線接続の作業効率を一層向上させることができる。
【００３８】
なお、レコーダ本体１内の電源部７は１つとしているが、図１に示すように、カメラ用電源部２と本体用電源部３とをそれぞれ設けるようにしても良い。
【００３９】
また、この実施形態においても、監視用カメラ３１の設置数は図示例に限定されるものではなく、任意の数の監視用カメラ３１を設置して、該監視用カメラ３１とレコーダ本体１とを同軸ケーブル３５にて接続するようにしても良い。
【００４０】
図７に示す実施形態も上記と同様に、レコーダ本体１内に監視用カメラ３１へ電源を供給する電源部７と、多重器２４とを設けているので、レコーダ本体１とは別個に多重器を設ける必要がない。そのため、多重器をレコーダ本体１とは別個に設置していた従来とは異なり、設置スペースは１台のレコーダ本体１のみで良く、設置スペースを小さくでき、省スペース化を図ることができ、しかも、コストを安価にすることができる。
【図面の簡単な説明】
【００４１】
【図１】本発明の実施の形態における監視カメラシステムの概略ブロック図である。
【図２】（ａ）（ｂ）は本発明の実施の形態におけるレコーダ本体の平面図及び側面図である。
【図３】本発明の実施の形態におけるレコーダ本体の正面図である。
【図４】本発明の実施の形態におけるレコーダ本体の背面図である。
【図５】本発明の第２の実施の形態における監視カメラシステムの概略ブロック図である。
【図６】本発明の第２の実施の形態における監視カメラシステムの概略ブロック図である。
【図７】本発明の第３の実施の形態における監視カメラシステムの概略ブロック図である。
【図８】従来例の監視カメラシステムの概略ブロック図である。
【図９】他の従来例の監視カメラシステムの概略ブロック図である。
【符号の説明】
【００４２】
１  レコーダ本体
２  カメラ用電源部
３  本体用電源部
４  録画・再生部
５  電源端子
７  電源部
１０  前パネル
１２  背面パネル
１３  コネクタ
２４  多重器
２６  電源用ケーブル
２７  信号用ケーブル
３１  監視用カメラ
３５  同軸ケーブル
３６  同軸コネクタ
【図１】
2006229806.tif 000003
【図２】
2006229806.tif 000004
【図３】
2006229806.tif 000005
【図４】
2006229806.tif 000006
【図５】
2006229806.tif 000007
【図６】
2006229806.tif 000008
【図７】
2006229806.tif 000009
【図８】
2006229806.tif 000010
【図９】
2006229806.tif 000011